(57)【要約】【課題】建物に鉛直縦方向に施工される縦建材２０と、水平横方向に施工される横建材２１との間の色柄の組み合わせの確認時に、その組み合わせ数を増加させる。【解決手段】各頁に、縦及び横建材２０，２１の色柄をそれぞれ表す縦及び横建材色柄部３，４が水平直線状の仕切り線５で仕切られて印刷され、各頁毎の建材２０，２１の色柄が互いに異なり、中間頁で仕切り線５にて分離されている見本表示部２を有する冊子１と、色柄確認部分が無色透明部１１とされた縦及び横建材２０，２１、及び両者間の見切り２２が斜視的に描かれた確認シート１０Ａ〜１０Ｄとからなる。冊子１の見本表示部２における所定頁上に確認シート１０Ａ〜１０Ｄを見切り２２が見本表示部２の仕切り線５に一致するように配置し、確認シートの縦及び横建材２０，２１の無色透明部１１を通して現出した縦及び横建材色柄部３，４の色柄を視認し、色柄の組み合わせを確認する。【選択図】図５
2014052589.tif 000002
【特許請求の範囲】
【請求項１】
建物に鉛直縦方向に施工される縦建材、及び水平横方向に施工される横建材の各色柄を印刷した冊子と、上記両建材間の色柄の組み合わせを確認するための確認シートとを備えてなる建材コーディネート確認ツールであって、
上記冊子は、各頁に縦建材の色柄を表す縦建材色柄部と、横建材の色柄を表す横建材色柄部とが直線状の仕切り線で仕切られて印刷されていて、各頁毎の建材の色柄が互いに異なり、かつ最初及び最終の頁を除く中間頁において上記縦建材色柄部及び横建材色柄部が仕切り線にて分離されている見本表示部を有し、
上記確認シートには、少なくとも、色柄を確認しようとする部分が無色透明部又は開口部とされた縦建材及び横建材と、該縦建材及び横建材の間の見切りとが描かれており、
上記冊子の見本表示部における所定の頁上に確認シートを該確認シートの見切りが見本表示部の仕切り線に一致するように配置して、確認シートの表側から、縦建材及び横建材の無色透明部又は開口部を通して現出した縦建材色柄部及び横建材色柄部の色柄を視認することで、縦建材と横建材との間の色柄の組み合わせを確認するようにしたことを特徴とする建材コーディネート確認ツール。
【請求項２】
請求項１において、
縦建材は室内における内装壁、建具又はキャビネットであり、
横建材は床であることを特徴とする建材コーディネート確認ツール。
【請求項３】
請求項１において、
縦建材は室内における内装壁、建具又はキャビネットであり、
横建材は天井であることを特徴とする建材コーディネート確認ツール。
【請求項４】
請求項１において、
縦建材は室内における内装壁、建具又はキャビネットであり、
横建材は床及び天井であることを特徴とする建材コーディネート確認ツール。
【請求項５】
請求項１〜４のいずれか１つにおいて、
確認シートは、建物の場所に応じて複数枚設けられていることを特徴とする建材コーディネート確認ツール。
【発明の詳細な説明】
【技術分野】
【０００１】
本発明は、建物に鉛直縦方向に施工される内装壁、建具、キャビネット、外壁等の色柄と、水平横方向に施工される床、天井、屋根等の色柄との組み合わせを確認するための建材コーディネート確認ツールに関する。
【背景技術】
【０００２】
従来、この種のツールとして、特許文献１に示されるように、システムキッチン等のキャビネットの表面材を選択するために、キャビネットの部分が透明とされ、そのキャビネットの複数種類の設置場所が壁及び床に色柄を付けて描かれたシミュレーションシートと、キャビネットの複数のサンプル板が印刷されたサンプル板シートとを備え、シミュレーションシートの印刷サンプル板上に、シミュレーションシートに描かれた所定のキャビネット設置場所を重ねて、その透明のキャビネット部分に現れたサンプル板からなるキャビネットの色柄と、シート上の壁及び床の色柄との組み合わせを確認できるようにしたものが知られている。
【先行技術文献】
【特許文献】
【０００３】
【特許文献１】特開２００１−３０５９６９公報
【発明の概要】
【発明が解決しようとする課題】
【０００４】
ところが、上記特許文献１のものでは、キャビネット設置場所の壁及び床の色柄はシートに描かれており、シートの透明部分にキャビネットの色柄として１種類のサンプル板しか表示することができないので、そのキャビネットの色柄と壁及び床の色柄との組み合わせが限られてしまうという問題がある。
【０００５】
本発明は斯かる点に鑑みてなされたもので、その目的は、内装壁、建具、キャビネット、床、天井等の色柄のサンプルの提供の仕方に工夫を加えることにより、それら建材の間の色柄の組み合わせを確認する際に、多数の色柄の組み合わせ数が得られるようにすることにある。
【課題を解決するための手段】
【０００６】
上記の目的を達成するために、この発明では、室内の内装壁、建具、キャビネット、天井、床等のうち、鉛直縦方向に施工される内装壁、建具、キャビネット等の縦建材と、水平横方向に施工される天井、床等の横建材とが見切りを介して接していることに着目し、その見切りの両側の建材の複数の色柄を印刷した複数の頁を綴じた冊子を設け、シートについては、見切り両側の部分に縦建材と横建材とを描いて、それらに冊子の頁の色柄を現出させる透明部等を形成し、シートを冊子に両者の見切りを一致させて載せ、シートの透明部等から現出する色柄を確認するようにした。
【０００７】
具体的には、第１の発明は、建物に鉛直縦方向に施工される縦建材、及び水平横方向に施工される横建材の各色柄を印刷した冊子と、上記両建材間の色柄の組み合わせを確認するための確認シートとを備えてなる建材コーディネート確認ツールが対象である。
【０００８】
上記冊子は、各頁に縦建材の色柄を表す縦建材色柄部と、横建材の色柄を表す横建材色柄部とが直線状の仕切り線で仕切られて印刷されていて、各頁毎の建材の色柄が互いに異なり、かつ最初及び最終の頁を除く中間頁において上記縦建材色柄部及び横建材色柄部が仕切り線にて分離されている見本表示部を有する。
【０００９】
また、上記確認シートには、少なくとも、色柄を確認しようとする部分が無色透明部又は開口部とされた縦建材及び横建材と、該縦建材及び横建材の間の見切りとが描かれている。
【００１０】
そして、上記冊子の見本表示部における所定の頁上に確認シートを該確認シートの見切りが見本表示部の仕切り線に一致するように配置して、確認シートの表側から、縦建材及び横建材の無色透明部又は開口部を通して現出した縦建材色柄部及び横建材色柄部の色柄を視認することで、縦建材と横建材との間の色柄の組み合わせを確認するようにしたことを特徴とする。
【００１１】
この第１の発明では、冊子の見本表示部における所定の頁上に確認シートを該確認シートの見切りが見本表示部の仕切り線に一致するように配置すると、その確認シートの表側に、縦建材及び横建材における色柄を確認しようとする部分である無色透明部又は開口部を通して見本表示部の縦建材色柄部及び横建材色柄部の色柄が現出する。そして、この現出した縦建材色柄部及び横建材色柄部の色柄を視認することで、縦建材と横建材との間の色柄の組み合わせを確認することができる。
【００１２】
そのとき、冊子の見本表示部には、縦建材の色柄を表す縦建材色柄部と、横建材の色柄を表す横建材色柄部とが直線状の仕切り線で仕切られて印刷され、各頁毎の建材の色柄は互いに異なり、かつ中間頁において仕切り線にて分離されているので、縦建材色柄部及び横建材色柄部の各頁をそれぞれ独立してめくって各建材の異なる色柄に変更することができ、２つの建材の間の色柄の組み合わせ数を増やすことができる。
【００１３】
第２の発明は、第１の発明において、上記縦建材は室内における内装壁、建具又はキャビネットであり、横建材は床であることを特徴とする。
【００１４】
この第２の発明では、室内における内装壁、建具又はキャビネットと床との間の色柄の組み合わせ数を増やすことができる。
【００１５】
第３の発明は、第１の発明において、上記縦建材は室内における内装壁、建具又はキャビネットであり、横建材は天井であることを特徴とする。
【００１６】
この第３の発明では、室内における内装壁、建具又はキャビネットと天井との間の色柄の組み合わせ数を増やすことができる。
【００１７】
第４の発明は、第１の発明において、上記縦建材は室内における内装壁、建具又はキャビネットであり、横建材は床及び天井であることを特徴とする。
【００１８】
この第４の発明では、室内における内装壁、建具又はキャビネットと、床と、天井との間の色柄の組み合わせ数を増やすことができる。
【００１９】
第５の発明は、第１〜第４のいずれか１つの発明において、上記確認シートは、建物の場所に応じて複数枚設けられていることを特徴とする。
【００２０】
この第５の発明では、建材間の色柄の組み合わせを確認しようとする建物の場所が複数種類あっても、その各場所に応じた確認シートを用意して、その確認シートに交換するだけで、色柄の組み合わせを素早く確認することができ、各場所についての色柄の確認を容易に行うことができる。
【発明の効果】
【００２１】
以上説明したように、第１〜第４の発明によると、冊子と確認シートとを備え、冊子は、その見本表示部の各頁に、建物で鉛直縦方向に施工される縦建材の色柄を表す縦建材色柄部と、水平横方向に施工される横建材の色柄を表す横建材色柄部とを直線状の仕切り線で仕切って印刷し、各頁毎の建材の色柄を互いに異ならせ、中間頁において縦建材色柄部及び横建材色柄部を仕切り線にて分離しておき、確認シートは、色柄を確認しようとする部分が無色透明部又は開口部とされた縦建材及び横建材と、それら建材間の見切りとを描いたものとしたことにより、冊子の見本表示部における所定の頁上に確認シートを見切りが見本表示部の仕切り線に一致するように配置して、その無色透明部又は開口部を通して現出した縦建材色柄部及び横建材色柄部の色柄から、縦及び横建材間の色柄の組み合わせを確認することができるとともに、建材毎に頁を繰って異なる色柄に変更して、縦及び横建材間の色柄の組み合わせ数を増やすことができる。
【００２２】
第５の発明によると、確認シートは、建物の場所に応じて複数枚設けたことにより、各部屋についての色柄の確認を容易に行うことができる。
【図面の簡単な説明】
【００２３】
【図１】図１は、本発明の実施形態に係る建材コーディネート確認ツールの全体構成を示す図である。
【図２】図２は、冊子を拡大して示す図である。
【図３】図３は、玄関用確認シート及びリビング用確認シートを示す図である。
【図４】図４は、寝室用確認シート及び子供部屋用確認シートを示す図である。
【図５】図５は、見本表示部における所定の頁上に確認シートを見切りが見本表示部の仕切り線に一致するように配置した、建材コーディネート確認ツールの使用状態を示す図である。
【発明を実施するための形態】
【００２４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２５】
図１は本発明の実施形態に係る建材コーディネート確認ツールＡを示し、このツールＡは、冊子１と確認シート１０Ａ〜１０Ｄとを備えている。
【００２６】
（冊子）
上記冊子１は、例えばカタログ等として使用されるもので、その内部には、縦建材２０の色柄と、横建材２１の色柄とが印刷されている。
【００２７】
縦建材２０とは、建物の室内において鉛直縦方向に施工されるもので、例えば玄関ではドア（建具）や玄関収納キャビネットが、またリビングではドアが、寝室及び子供部屋ではドアやクローゼット用ドアがそれぞれ相当する。また、横建材２１とは、建物の室内において水平横方向に施工されるもので、天井や床が相当し、この実施形態では床である。そして、これら縦建材２０と横建材２１との間には見切り２２が形成されている。尚、縦建材２０、横建材２１及び見切り２２は、確認シート１０Ａ〜１０Ｄに描かれたものに符号を付け代用して説明する（図３及び図４参照）。
【００２８】
具体的には、図２に示すように、冊子１は左右開きのもので、複数の頁からなる見本表示部２を有する。この見本表示部２の各頁には、上側半部を占めて縦建材２０（ドア、キャビネット）の色柄を表す縦建材色柄部３と、下側半部を占めて横建材２１（床）の色柄を表す横建材色柄部４とが、両者間に位置する左右水平方向の直線状の仕切り線５で仕切られて印刷されており、この各頁に印刷された建材の色柄は頁毎に互いに異なっていて、全体として複数の色柄が印刷されている。そして、この見本表示部２の最初の頁（図２で左側に示しているもの）と最終の頁とは、通常の冊子や書籍等と同様に、上側の縦建材色柄部３と下側の横建材色柄部４とは１枚の連続した紙等からなっているが、これら最初の頁及び最終の頁を除く中間頁においては、上側の縦建材色柄部３と下側の横建材色柄部４とが両者間の仕切り線５にて上下に分離されており（図２では分離位置にある仕切り線５を仮想線にて示している）、上側の縦建材色柄部３と下側の横建材色柄部４とは各々の頁を互いに独立してめくり得るようになっている。
【００２９】
（確認シート）
上記確認シート１０Ａ〜１０Ｄは、図３及び図４に示すように、縦建材２０と横建材２１との間の色柄の組み合わせを確認するためのものであって、部屋の種類（つまり建物の場所）に応じて複数枚設けられている。この実施形態では、部屋の種類は玄関、リビング、寝室及び子供部屋の４種類であり、それらに応じて「玄関」用、「リビング」用、「寝室」用、及び「子供部屋」用の４枚の確認シート１０Ａ〜１０Ｄが設けられている。
【００３０】
各確認シート１０Ａ〜１０Ｄには、対応する各部屋が印刷等により例えば透視図（遠近法）により部屋の各要素が質感を表すように描かれており、部屋の手前下側には横建材２１が、また奥には縦建材２０が、さらに上側に天井２３がそれぞれ描かれ、それら縦建材２０及び横建材２１の間の見切り２２も左右方向の水平線にて描かれている。そして、見切り２２を挟んで上下に配置された縦建材２０と横建材２１とにおいて、色柄を確認しようとする部分は無色透明部１１（又は開口部であってもよい）とされている。また、各確認シート１０Ａ〜１０Ｄには、対応する各部屋の室内に配置される所定の物も描かれている。尚、上記無色透明部１１（又は開口部）を除く部分は、確認シート１０Ａ〜１０Ｄを冊子１における見本表示部２の所定頁上に配置した際に、縦建材色柄部３及び横建材色柄部４の色柄がシート表側に現出しないか或いはし難い程度にマスキングされている。
【００３１】
具体的に説明すると、玄関用確認シート１０Ａには、図３（ａ）に示すように、例えば下半部左側に横建材２１としての床２１Ａが目地部と共に描かれ、同右側にはタイル貼りの土間２４と、その土間２４に置かれた観葉植物２５とが描かれている。また、中間部上側寄りには壁２６が描かれ、その左側部には、壁２６の開口を開閉する縦建材２０としてのドア２０Ａが、また右側部には床２１Ａ及び土間２４に亘って設置施工された縦建材２０としての上下２段の玄関収納キャビネット２０Ｂと、その下段部上に載置された花瓶等の置物２７とがそれぞれ描かれている。さらに、上端部には天井２３が描かれている。そして、横建材２１である床２１Ａと、縦建材であるドア２０Ａ及び玄関収納キャビネット２０Ｂとは、それらにおける色柄確認部分が無色透明部１１とされ、床２１Ａとドア２０Ａ及び玄関収納キャビネット２０Ｂとの間に左右方向の水平線にて見切り２２が描かれている。
【００３２】
また、リビング用確認シート１０Ｂには、図３（ｂ）に示すように、例えば下半部に横建材２１としての床２１Ａが目地部と共に描かれ、下端部には床２１Ａ上に載置されたソファ２８及びテーブル２９が描かれている。また、中間部上側寄りには壁２６が描かれ、その左側部には、床２１Ａ上に載置された収納棚３０、その上のテレビ３１や置物２７等が、また右側部には壁２６の開口を開閉する縦建材２０としてのドア２０Ａがそれぞれ描かれている。さらに、上端部には天井２３が描かれている。そして、床２１Ａ及びドア２０Ａは、それらの色柄確認部分が無色透明部１１であり、床２１Ａとドア２０Ａとの間に左右方向の水平線にて見切り２２が描かれている。
【００３３】
さらに、寝室用確認シート１０Ｃには、図４（ａ）に示すように、例えば下半部に横建材２１としての床２１Ａが目地部と共に描かれ、左端部には床２１Ａ上に載置されたベッド３２とランプ３３とが描かれている。また、中間部上側寄りには壁２６が描かれ、その左側部には、壁２６の開口を開閉する縦建材２０としてのドア２０Ａが、また右側部には同様に縦建材２０としてのクローゼット用のドア２０Ａがそれぞれ描かれている。さらに、上端部には天井２３が描かれている。そして、床２１Ａ及び両ドア２０Ａ，２０Ａは、それらの色柄確認部分が無色透明部１１であり、床２１Ａと両ドア２０Ａ，２０Ａとの間に左右方向の水平線にて見切り２２が描かれている。
【００３４】
また、子供部屋用確認シート１０Ｄには、図４（ｂ）に示すように、例えば下半部に横建材２１としての床２１Ａが目地部と共に描かれ、左端部には床２１Ａ上に載置された机３４及び椅子３５が、また右端部にはソファ２８及びその上のクッション３６がそれぞれ描かれている。また、中間部上側寄りには壁２６が描かれ、その左側部には縦建材２０としてのクローゼット用のドア２０Ａが、また右側部には壁２６の開口を開閉する縦建材２０としてのドア２０Ａがそれぞれ描かれている。さらに、上端部には天井２３が描かれている。そして、床２１Ａ及び両ドア２０Ａ，２０Ａは、それらの色柄確認部分が無色透明部１１とされ、床２１Ａと両ドア２０Ａ，２０Ａとの間に左右方向の水平線にて見切り２２が描かれている。
【００３５】
以上の構成の建材コーディネート確認ツールＡにおいては、図５に示すように、上記冊子１の見本表示部２における所定の頁上に、部屋の種類に応じた確認シート１０Ａ〜１０Ｄ（図示例ではリビング用確認シート１０Ｂ）を該確認シート１０Ａ〜１０Ｄの見切り２２が見本表示部２の仕切り線５に一致するように配置し、その状態で確認シート１０Ａ〜１０Ｄの表側から、縦建材２０及び横建材２１の各無色透明部１１を通して現出した縦建材色柄部３及び横建材色柄部４の色柄を視認することで、縦建材２０と横建材２１との間の色柄の組み合わせを確認するようにしている。
【００３６】
（ツールの使用方法）
次に、建材コーディネート確認ツールＡの使用方法の一例について説明する。
【００３７】
まず、冊子１における見本表示部２の所定の頁を開き、その頁の上側半部に印刷されている縦建材色柄部３と、下側半部に印刷されている横建材２１とによっておおよその色柄の組み合わせを決定する。
【００３８】
次に、図５に示すように、その頁上に、目的の部屋の確認シート１０Ａ〜１０Ｄを、該確認シート１０Ａ〜１０Ｄの上下中央の見切り２２が見本表示部２の頁において水平方向の直線状仕切り線５（分離位置）に一致するように配置する。図５では、リビング用確認シート１０Ｂを頁上に配置している。
【００３９】
すると、この確認シート１０Ａ〜１０Ｄには、縦建材２０と横建材２１とが色柄を確認しようとする部分を無色透明部１１として描かれているので、その無色透明部１１を通して、下側の冊子１の縦建材色柄部３及び横建材色柄部４に印刷された色柄が現出し（図５では現出した色柄をドットで示している）、恰も実際に当該色柄の縦建材２０及び横建材２１が施工されているかのような空間のイメージが形成される。この状態で、縦建材２０及び横建材２１の色柄の組み合わせが部屋に適当かどうかを確認する。
【００４０】
そして、上記色柄の組み合わせが適当ではなく、他の組み合わせが好ましいと判断したときには、確認シート１０Ａ〜１０Ｄを頁上から取り上げ、冊子１の上側の縦建材色柄部３と下側の横建材色柄部４との一方、又は両方をそれぞれ好ましい色柄の目的の頁が出るまでめくり、その目的の頁において、上記と同様に確認シート１０Ａ〜１０Ｄを利用して縦建材２０及び横建材２１の色柄の組み合わせが適当かどうかを確認する。以後は、好ましい色柄の組み合わせができるまで、同様の動作を繰り返せばよい。
【００４１】
また、別の部屋の場合には、その部屋に対応する確認シート１０Ａ〜１０Ｄを用い、上記と同様の動作で確認すればよい。
【００４２】
こうすることで、縦建材２０と横建材２１との間の色柄の組み合わせが確認できる。
【００４３】
そのとき、冊子１の見本表示部２には、縦建材２０の色柄を表す縦建材色柄部３と、横建材２１の色柄を表す横建材色柄部４とが水平方向の直線状の仕切り線５で仕切られて印刷され、各頁毎の建材２０，２１の色柄は互いに異なり、かつ中間頁では仕切り線５にて分離されているので、縦建材色柄部３と横建材色柄部４との頁を互いに独立してめくって異なる色柄に変更することができる。従って、その分、縦建材２０と横建材２１との間の色柄の組み合わせ数を増やすことができる。
【００４４】
また、上記確認シート１０Ａ〜１０Ｄは、部屋の種類に応じて複数枚（４枚）設けられているので、建材２０，２１間の色柄の組み合わせを確認しようとする部屋が複数種類あっても、その各部屋に応じた確認シート１０Ａ〜１０Ｄに交換するだけで、色柄の組み合わせを素早く確認することができ、各部屋についての色柄の確認を容易に行うことができる。
【００４５】
（その他の実施形態）
尚、上記実施形態では、横建材２１が床２１Ａの場合であるが、天井２３であってもよく、天井２３と縦建材２０との間の色柄の組み合わせを確認することができる。また、縦建材２０は、建具やキャビネットの他に壁２６（内装壁）であってもよく、壁２６と床２１Ａ（又は天井２３）との色柄の組み合わせを確認することができる。
【００４６】
さらに、上記実施形態では、冊子１は、上側の縦建材色柄部３と下側の横建材色柄部４との２種類を仕切り線５で上下に仕切るように印刷したものとし、確認シート１０Ａ〜１０Ｄについては、部屋の手前下側の横建材２１と奥の縦建材２０とを見切り２２を介して描いている。これに代えて、冊子の見本表示部については、上下中間部に縦建材色柄部を、また上側に天井用の横建材色柄部を、さらに下側に床用の横建材色柄部をそれぞれ、隣接する建材色柄部間に上下２つの仕切り線にて上下に仕切るように印刷し、一方、各確認シートについては、部屋の手前下側に床としての横建材を、また奥に壁、建具、キャビネット等の縦建材を、さらに部屋の上部に天井としての横建材を、それぞれ各々の間に合計２つの見切りを介して描き、その各建材の部分を無色透明部又は開口部としてもよい。その場合、各確認シートの上下の見切り間の寸法は、冊子の上下２つの仕切り線間の寸法と同じとし、冊子の見本表示部における所定の頁上に確認シートを配置した際に、その確認シートの上下の見切りがそれぞれ見本表示部の上下の仕切り線に一致するようにしておく必要がある。こうすることで、壁、建具又はキャビネット（縦建材）と、床（横建材）と、天井（横建材）との３者間の色柄の組み合わせを同時に確認することができるとともに、その組み合わせ数を増やすことができる。
【００４７】
また、上記縦建材としては、上記建具等の他、例えばキッチン、バス、洗面台等でもよく、これらと、床や天井等の横建材との間の色柄を確認するようにすることもできる。また、縦建材を建物の外壁とし、横建材を建物の屋根として、それらの間の色柄を確認するようにしてもよい。
【００４８】
また、上記実施形態では、確認シート１０Ａ〜１０Ｄとして玄関、リビング、寝室及び子供部屋に応じて４枚設けているが、例えば洗面所やシアタールーム等の別の種類の部屋の確認シートをさらに追加することもできる。要は、建物において、色柄を確認しようとする場所に応じて複数枚設ければよい。
【００４９】
尚、確認シートは、１枚であってもよいが、建物の場所に応じて複数枚設ける方が、その各場所に応じた色柄の組み合わせを素早く容易に確認できるので、好ましい。
【産業上の利用可能性】
【００５０】
本発明は、建物に施工される縦建材と横建材との間の色柄を確認する際にその組み合わせ数を増やすことができるので、極めて有用で産業上の利用可能性が高い。
【符号の説明】
【００５１】
Ａ  建材コーディネート確認ツール
１  冊子
２  見本表示部
３  縦建材色柄部
４  横建材色柄部
５  仕切り線
１０Ａ〜１０Ｄ  確認シート
１１  無色透明部
２０  縦建材
２０Ａ  ドア（縦建材）
２０Ｂ  玄関収納キャビネット（縦建材）
２１  横建材
２１Ａ  床（横建材）
２２  見切り
【図２】
2014052589.tif 000003
【図１】
2014052589.tif 000004
【図３】
2014052589.tif 000005
【図４】
2014052589.tif 000006
【図５】
2014052589.tif 000007